(57)【要約】【課題】タブのガタつきを抑える雌端子を提供する。【解決手段】本開示の雌端子１０は、雄端子２０と嵌合される雌端子１０であって、底壁２６と、弾性接触片１４と、ガタつき抑制部１８と、を備え、弾性接触片１４は、底壁２６から片持ち状に延出され、底壁２６側に変位することで雄端子２０に弾性的に接触し、ガタつき抑制部１８は、雄端子２０が底壁２６側に変位した際に雄端子２０に接触可能とされている。【選択図】図８
2020161267.tif 000002
【特許請求の範囲】
【請求項１】
雄端子と嵌合される雌端子であって、
底壁と、弾性接触片と、ガタつき抑制部と、を備え、
前記弾性接触片は、前記底壁から片持ち状に延出され、前記底壁側に変位することで前記雄端子に弾性的に接触し、
前記ガタつき抑制部は、前記雄端子が前記底壁側に変位した際に前記雄端子に接触可能とされている、雌端子。
【請求項２】
前記ガタつき抑制部は一対設けられており、
一対の前記ガタつき抑制部は、前記雄端子の嵌合方向および前記弾性接触片の変位方向の双方に直交する幅方向に間隔を空けて配されている、請求項１に記載の雌端子。
【請求項３】
前記弾性接触片が前記底壁側に変位した際に前記弾性接触片に接触することで前記弾性接触片の過度な撓みを規制する過度撓み規制部を備え、
前記ガタつき抑制部は、前記過度撓み規制部と一体に設けられており、
前記弾性接触片は、前記ガタつき抑制部との干渉を防ぐ切り欠き部を有する、請求項１または請求項２に記載の雌端子。
【発明の詳細な説明】
【技術分野】
【０００１】
本開示は、雌端子に関する。
【背景技術】
【０００２】
特許文献１には、本体部と、弾性接触片と、過度撓み規制板と、を備える雌端子金具が開示されている。雌端子金具は、雄端子金具に嵌合される。雄端子金具の先端には、タブが形成されている。
【０００３】
本体部は前後方向に開口した角筒状をなしている。弾性接触片は、本体部内の底板側に設けられている。弾性接触片は、底板の先端縁から前方に延出された舌片が、本体部内に折り返されることによって形成されている。雄端子金具のタブは、本体部の前方の開口から本体部内に挿通される。タブが挿通されると、弾性接触片は接点部を介してタブと接触する。これにより、弾性接触片は底板側に弾性変形する。
【０００４】
過度撓み規制板は、底板を切り起こすことにより形成されている。過度撓み規制板は、弾性接触片における接点部の裏側に位置している。過度撓み規制板を設けることにより、弾性接触片が底板側に過度に撓むことが規制される。
【先行技術文献】
【特許文献】
【０００５】
【特許文献１】特開２００６−３４４４７４号公報
【発明の概要】
【発明が解決しようとする課題】
【０００６】
雌端子金具に雄端子金具が嵌合された状態で振動が生じると、タブが弾性接触片を底壁側に押すこととなる。弾性接触片は、弾性接触片の下面と過度撓み規制板との間で変位できるため、その間においてタブはガタつくこととなる。
【課題を解決するための手段】
【０００７】
本開示の雌端子は、雄端子と嵌合される雌端子であって、底壁と、弾性接触片と、ガタつき抑制部と、を備え、前記弾性接触片は、前記底壁から片持ち状に延出され、前記底壁側に変位することで前記雄端子に弾性的に接触し、前記ガタつき抑制部は、前記雄端子が前記底壁側に変位した際に前記雄端子に接触可能とされている。
【発明の効果】
【０００８】
本開示によれば、タブのガタつきを抑える雌端子を提供することが可能となる。
【図面の簡単な説明】
【０００９】
【図１】図１は、実施形態にかかる雌端子の斜視図である。
【図２】図２は、底面から見た雌端子の斜視図である。
【図３】図３は、雌端子の正面図である。
【図４】図４は、図３におけるＡ−Ａ断面図である。
【図５】図５は、図３におけるＢ−Ｂ断面図である。
【図６】図６は、雄端子と嵌合された状態における雌端子の斜視図である。
【図７】図７は、雄端子と嵌合された状態における雌端子の平面図である。
【図８】図８は、図７におけるＣ−Ｃ断面図である。
【図９】図９は、図７におけるＤ−Ｄ断面図である。
【発明を実施するための形態】
【００１０】
［本開示の実施形態の説明］
最初に本開示の実施態様を列記して説明する。
本開示の雌端子は、
（１）雄端子と嵌合される雌端子であって、底壁と、弾性接触片と、ガタつき抑制部と、を備え、前記弾性接触片は、前記底壁から片持ち状に延出され、前記底壁側に変位することで前記雄端子に弾性的に接触し、前記ガタつき抑制部は、前記雄端子が前記底壁側に変位した際に前記雄端子に接触可能とされている。
雄端子が底壁側に変位すると、雄端子はガタつき抑制部に接触することとなる。これにより、雄端子が底壁側に変位してガタつくことを抑制できる。
【００１１】
（２）また、前記ガタつき抑制部は一対設けられており、一対の前記ガタつき抑制部は、前記雄端子の嵌合方向および前記弾性接触片の変位方向の双方に直交する幅方向に間隔を空けて配されていることが好ましい。
一対のガタつき抑制部は、幅方向に間隔を空けて一対配されていることから、雄端子が捻回しようとすると、一対のガタつき抑制部のうち、一方のガタつき抑制部が雄端子に接触することとなる。これにより、雄端子が捻回することを抑制できる。
【００１２】
（３）また、前記弾性接触片が前記底壁側に変位した際に前記弾性接触片に接触することで前記弾性接触片の過度な撓みを規制する過度撓み規制部を備え、前記ガタつき抑制部は、前記過度撓み規制部と一体に設けられており、前記弾性接触片は、前記ガタつき抑制部との干渉を防ぐ切り欠き部を有することが好ましい。
弾性接触片が底壁側に変位した際に、弾性接触片が過度撓み規制部に接触することとなる。これにより、弾性接触片が過度に撓むことを抑制できる。また、弾性接触片が切り欠き部を有することで、ガタつき抑制部が弾性接触片に干渉することを防ぎつつ、ガタつき抑制部を過度撓み規制部と一体に設けることができる。例えば雌端子のサイズの制約上、過度撓み規制部とガタつき抑制部を別々の箇所に設けることが困難な場合においても、過度撓み規制部およびガタつき抑制部の双方を１つの箇所に設けることができる。
【００１３】
［本開示の実施形態の詳細］
本開示の雌端子１０の具体例を、以下に図面を参照しつつ説明する。なお、本開示はこれらの例示に限定されるものではなく、特許請求の範囲によって示され、特許請求の範囲と均等の意味および範囲内でのすべての変更が含まれることが意図される。
【００１４】
雌端子１０は、図１に示すように、本体部１２と、電線接続部１３と、を備えている。本体部１２の内部には、図４に示すように、弾性接触片１４と、過度撓み規制部１６と、が設けられている。図８に示すように、雌端子１０に嵌合される雄端子２０はタブ２２を備えている。タブ２２は、前後方向（雄端子２０の嵌合方向）に長い板状をなしている。
【００１５】
図１に示すように、本体部１２は、前後方向に長い角筒状をなしている。図４に示すように、本体部１２は、前後方向に開口している。本体部１２は、上下方向に対向する天井壁２４および底壁２６と、左右方向に対向する一対の側壁２８と、を備えて構成されている。天井壁２４は一対の側壁２８の上縁同士を連結している。一方、底壁２６は一対の側壁２８の下縁同士を連結している。本体部１２の後方には、電線（図示せず）に接続される電線接続部１３が設けられている。電線接続部１３は、本体部１２の底壁２６から後方に連なっている。
【００１６】
図４に示すように、弾性接触片１４は、本体部１２における底壁２６の前端から後方に折り返されて片持ち状に延出されている。弾性接触片１４は、下方（底壁２６側）に弾性変位することが可能とされる。図５に示すように、弾性接触片１４には、一対の切り欠き部１４Ａが設けられている。一対の切り欠き部１４Ａは、弾性接触片１４における両側縁の後部から後端縁にかけてＬ字状に形成されている。すなわち、切り欠き部１４Ａは、弾性接触片１４の後端における両角部を切り欠いた形状をなしている。図３、図４に示すように、弾性接触片１４には、接点部１４Ｂが設けられている。接点部１４Ｂは、弾性接触片１４の上面から上方に突出している。
【００１７】
図３に示すように、天井壁２４には一対のビード部２４Ａが設けられている。一対のビード部２４Ａは、左右方向（雄端子２０の嵌合方向および弾性接触片１４の変位方向の双方に直交する幅方向）に間隔を空けて配されている。ビード部２４Ａは、天井壁２４の下面から下方に突出している。また、図４に示すように、ビード部２４Ａは前後方向に長い形状をなしている。
【００１８】
図６、図７に示すように、雄端子２０におけるタブ２２は、本体部１２における前方の開口から本体部１２内に挿通される。図８に示すように、雌端子１０に雄端子２０が嵌合されると、弾性接触片１４における接点部１４Ｂは、タブ２２に下方から弾性的に接触する。これにより、タブ２２は上方に押されてビード部２４Ａに接触し、雄端子２０と雌端子１０とは電気的に接続される。
【００１９】
図２、図４に示すように、過度撓み規制部１６は、底壁２６の一部を上方に切り起こすことによって形成されている。図５に示すように、過度撓み規制部１６は左右一対設けられている。一対の過度撓み規制部１６の一部は、弾性接触片１４の下面と対向している。これにより、例えば、雌端子１０に雄端子２０が嵌合される際に、雄端子２０が傾いた状態で本体部１２内に挿通されたとする。このとき、タブ２２は弾性接触片１４に強く接触するとともに、弾性接触片１４は下方に大きく変位する。弾性接触片１４が下方へ変位すると、弾性接触片１４の下面は一対の過度撓み規制部１６に接触し、弾性接触片１４がさらに下方に変位することが阻止される。したがって、弾性接触片１４が過度に撓むことを抑制できる。
【００２０】
図４に示すように、過度撓み規制部１６にはガタつき抑制部１８が設けられている。図５に示すように、ガタつき抑制部１８は左右一対設けられている。図４に示すように、一対のガタつき抑制部１８は、一対の過度撓み規制部１６と一体に設けられている。ガタつき抑制部１８は、過度撓み規制部１６の上端から上方に突出している。図５に示すように、ガタつき抑制部１８の一部は、弾性接触片１４の切り欠き部１４Ａ内（図５における点線Ｒの範囲内）に位置している。
【００２１】
図８、図９に示すように、雄端子２０および雌端子１０が嵌合された状態において、ガタつき抑制部１８は、タブ２２の下面と対向している。例えば、振動等により雄端子２０が上下方向に揺れ動くと、タブ２２は、弾性接触片１４を下方に押しつつ、ガタつき抑制部１８に接触することとなる。これにより、タブ２２がさらに下方へ変位することが阻止される。したがって、タブ２２の上下方向の振れ幅は、ガタつき抑制部１８を設けない場合と比較して小さくなることから、タブ２２のガタつきを抑えることができる。タブ２２のガタつきが抑えられることによって、振動環境下においてタブ２２と弾性接触片１４とが摺動することにより、弾性接触片１４が摩耗することを抑制できる。このため、雄端子２０と雌端子１０との間の接続信頼性を確保できる。
【００２２】
弾性接触片１４に切り欠き部１４Ａを設けることによって、ガタつき抑制部１８が弾性接触片１４に干渉することを防ぎつつ、ガタつき抑制部１８を過度撓み規制部１６と一体に設けることができる。例えば、弾性接触片１４に切り欠き部１４Ａを設けない構成とすると、ガタつき抑制部を弾性接触片と干渉しない位置に設ける必要がある。すなわち、ガタつき抑制部を図５に示す点線Ｒの範囲の外側（例えば、弾性接触片の両側方または後方）に設ける必要がある。かかる場合、ガタつき抑制部と過度撓み規制部を別々の箇所に設ける必要がある。したがって、切り欠き部１４Ａを設けることによって、例えば雌端子１０のサイズの制約上、過度撓み規制部１６とガタつき抑制部１８を別々の箇所に設けることが困難な場合においても、過度撓み規制部１６およびガタつき抑制部１８の双方を１つの箇所に設けることができる。
【００２３】
図９に示すように、雄端子２０が矢線Ｄに示す回転方向に捻回しようとすると、タブ２２は、一対のガタつき抑制部１８のうち左側のガタつき抑制部１８に接触することとなる。これにより、雄端子２０の回転は阻止される。また、雄端子２０が矢線Ｄに示す回転方向とは逆の方向に捻回しようとすると、タブ２２は、一対のガタつき抑制部１８のうち右側のガタつき抑制部１８に接触することとなる。これにより、雄端子２０の回転は阻止される。以上により、一対のガタつき抑制部１８によって、雄端子２０が捻回することを抑制できる。
【００２４】
＜他の実施形態＞
（１）上記実施形態では、弾性接触片１４は底壁２６の前端から後方に片持ち状に延出される構成としたが、これに限られることはなく、例えば、弾性接触片は底壁の後端側から前方に片持ち状に延出される構成としても良い。
【００２５】
（２）上記実施形態では、ガタつき抑制部１８は過度撓み規制部１６と一体に設けられる構成としたが、これに限られることはなく、例えば、ガタつき抑制部は過度撓み規制部と別体に設けられる構成としても良い。
【００２６】
（３）上記実施形態では、弾性接触片１４は切り欠き部１４Ａを有する構成としたが、これに限られることはなく、例えば、弾性接触片は切り欠き部を有しない構成としても良い。この場合、ガタつき抑制部は弾性接触片と干渉しない位置（例えば、弾性接触片の両側方または後方）に設けられる。
【００２７】
（４）上記実施形態では、過度撓み規制部１６は左右一対設けられる構成としたが、例えば、過度撓み規制部は左右のいずれか一方にのみ設けられる構成としても良い。また、ガタつき抑制部１８は左右一対設けられる構成としたが、これに限られることはなく、例えば、ガタつき抑制部は左右のいずれか一方にのみ設けられる構成としても良い。
【００２８】
（５）上記実施形態では、過度撓み規制部１６およびガタつき抑制部１８は底壁２６から切り起こされる構成としたが、これに限られることはなく、例えば、過度撓み規制部およびガタつき抑制部は、側壁から切り起こされる構成としても良い。また、過度撓み規制部およびガタつき抑制部は、本体部とは別体の部品により構成されることとしても良い。
【符号の説明】
【００２９】
１０：雌端子
１２：本体部
１３：電線接続部
１４：弾性接触片
１４Ａ：切り欠き部
１４Ｂ：接点部
１６：過度撓み規制部
１８：ガタつき抑制部
２０：雄端子
２２：タブ
２４：天井壁
２４Ａ：ビード部
２６：底壁
２８：側壁
【図１】
2020161267.tif 000003
【図２】
2020161267.tif 000004
【図３】
2020161267.tif 000005
【図４】
2020161267.tif 000006
【図５】
2020161267.tif 000007
【図６】
2020161267.tif 000008
【図７】
2020161267.tif 000009
【図８】
2020161267.tif 000010
【図９】
2020161267.tif 000011